(57)【要約】      （修正有）【課題】引手がスライダー組立体につかえることを抑制できるスライダー組立構造体を提供する。【解決手段】スライダー組立体１は、スライダー本体１１と、スライダー本体に配置されるキャップと、キャップ内に配置される引手保持部１３とを含む。キャップには、それぞれが相対的にキャップの両側辺に配置される２つの湾曲面１２３が設けられる。引手保持部は、保持要素１３１、爪部、及び保持要素と爪部とを連接する連接部を備える。連接部は、保持要素に近接するフランジストッパー１３３１を含む。引手２は、引手保持部に引っ掛けられる貫通溝２３を含む。貫通溝の幅は、フランジストッパーと湾曲面との間の距離よりも小さい。【選択図】図９
0003222837.tif 000002
【実用新案登録請求の範囲】
【請求項１】
保持要素と、
爪部と、
前記保持要素に近接するように配置されるフランジストッパーを含み、前記保持要素及び前記爪部を連接する連接部と、
を備える、スライダー組立構造体に適した引手保持部。
【請求項２】
前記爪部は、湾曲部分を含み、前記フランジストッパーと前記湾曲部分との間の最小の距離は、前記フランジストッパーと前記保持要素との間の最小の距離よりも大きく、前記連接部と前記爪部とは共に爪口を画定して、前記フランジストッパーは、前記爪口に形成される、請求項１に記載のスライダー組立構造体に適した引手保持部。
【請求項３】
スライダー組立体及び引手を備えるスライダー組立構造体であって、
前記スライダー組立体は、スライダー本体と、前記スライダー本体に配置されるキャップと、前記キャップ内に配置される引手保持部とを含み、前記キャップは、その両側に２つの湾曲面を含み、前記引手保持部は、保持要素、爪部、及び前記保持要素と前記爪部とを連接する連接部を含み、前記連接部は、前記保持要素に近接するように配置されるフランジストッパーを含み、
前記引手は、前記引手保持部に引っ掛けられる貫通溝を含み、前記貫通溝の幅は、前記フランジストッパーと前記湾曲面との間の距離よりも小さい、スライダー組立構造体。
【請求項４】
前記引手は、前記貫通溝を画定する湾曲ロッドをさらに含み、前記湾曲ロッドは、その両側に２つのサイドロッド部を含み、２つの前記サイドロッド部の間の距離は、前記貫通溝の幅である、請求項３に記載のスライダー組立構造体。
【請求項５】
前記引手における一方の前記サイドロッド部が前記引手保持部の前記フランジストッパーに当接した場合、他方の前記サイドロッド部は、２つの前記湾曲面の間の範囲に制限される、請求項４に記載のスライダー組立構造体。
【請求項６】
前記スライダー本体は、前記引手保持部が活動的に配置される積載台を含み、前記積載台は、案内ブロックを含み、前記案内ブロックは、前記引手保持部の前記フランジストッパーに近接するように配置され、前記引手は、前記貫通溝を画定する湾曲ロッドをさらに含み、前記湾曲ロッドの最小の外径は、前記案内ブロックと前記フランジストッパーとの間のギャップよりも大きく、前記スライダー本体の前記積載台は、前記案内ブロックから離間した制限面を含み、前記引手保持部における前記保持要素は、前記案内ブロックと前記制限面との間に揺動自由に配置される、請求項３に記載のスライダー組立構造体。
【請求項７】
前記引手保持部の前記爪部は、湾曲部分を含み、前記フランジストッパーと前記湾曲部分との最小の距離は、前記フランジストッパーと前記保持要素との最小の距離よりも大きい、請求項３に記載のスライダー組立構造体。
【請求項８】
スライダー組立体及び引手を備えるスライダー組立構造体であって、
前記スライダー組立体は、スライダー本体と、前記スライダー本体に配置されるキャップと、前記キャップ内に配置される引手保持部とを含み、前記キャップは、その両側に２つの湾曲面を含み、前記引手保持部は、爪口、及び前記爪口に形成されるフランジストッパーを含み、
前記引手は、前記爪口に引っ掛けられる湾曲ロッドを含み、前記湾曲ロッドは、それぞれの間に間隔が置かれて配置される２つのサイドロッド部を含み、
前記引手におけるいずれか一方の前記サイドロッド部が前記引手保持部の前記フランジストッパーに当接した場合、他方の前記サイドロッド部は、２つの前記湾曲面の間の範囲に位置決められる、スライダー組立構造体。
【請求項９】
前記引手保持部は、互いに間隔が置かれた保持要素及び爪部を含み、前記爪部は、湾曲部分を含み、前記フランジストッパーと前記湾曲部分との最小の距離は、前記フランジストッパーと前記保持要素との最小の距離よりも大きい、請求項８に記載のスライダー組立構造体。
【請求項１０】
前記スライダー本体は、前記引手保持部が活動的に配置する積載台を含み、前記積載台は、案内ブロックを含み、前記案内ブロックは、前記引手保持部の前記フランジストッパーに近接するように配置され、前記引手の前記湾曲ロッドの最小の外径は、前記案内ブロックと前記フランジストッパーとの間のギャップよりも大きく、前記スライダー本体の前記積載台は、前記案内ブロックから離間した制限面をさらに含み、前記引手保持部の前記保持要素は、前記案内ブロックと前記制限面との間に揺動自由に配置される、請求項８に記載のスライダー組立構造体。
【考案の詳細な説明】
【技術分野】
【０００１】
本考案は、引手保持部に関し、特に、スライダー組立構造体に適する引手保持部及びその引手保持部を使用したスライダー組立構造体に関する。
【背景技術】
【０００２】
ファスナーは日常生活で一般的に使用されるアイテムであり、通常ではスライダーと２つのファスナーテープが含まれている。ファスナーテープは、スライダーが前後に動くと、ゆるむか互いに噛み合うように構成されるものである。それらの単純な構造および容易な操作のために、ファスナーは衣類、バックパック、財布、スーツケースおよび他の物に広く適用されてきた。
【０００３】
図１及び図２を参照する。図１、図２に示すように、既存のスライダー９は、引手取付部９１、引手９２、引手保持部９３、キャップ９４、及び弾性片９５を含む。引手保持部９３は、引手取付部９１の上方にある窪んだ空間内に活動自由に配置される。それにおける爪口９３１は、引手９２の貫通溝９２１を引っ掛け、キャップ９４により覆われて引手取付部９１に固定される。弾性片９５は、キャップ９４と引手保持部９３との間に配置され、引手保持部９３をキャップ９４から離れる方向へ付勢するように常に弾性付勢力を付与する。
【０００４】
引手９２は、引手取付部９１とキャップ９４と間において、それらで画定された空間９６内で揺動することができる。しかし、引手９２が横たわみした時、貫通溝９２１の両側は、キャップ９４と引手取り付け部９１との間につかえ易く、動かすのが難しくなる。スライダーをメッキに適用した場合、引手９２がキャップ９４および引手取り付け部９１につかえるため、それらの接触部分にメッキ層を形成することが困難となり、メッキデッドアングルとなるため改善が必要である。
【考案の概要】
【考案が解決しようとする課題】
【０００５】
本考案が解決しようとする課題は、既存の技術の不足に対して、スライダー組立構造体に適した引手保持部及びスライダー組立構造体を提供することである。
【課題を解決するための手段】
【０００６】
上記の技術的課題解決するために、本考案が採用する技術手段の１つとしては、スライダー組立構造体に適する引手保持部を提供する。該引手保持部は、保持要素、爪部、及び連接部を含む。前記連接部は、前記保持要素と前記爪部とを連接する。前記連接部は、前記保持要素に近接するように配置されるフランジストッパーを含む。
【０００７】
上記の技術的課題解決するために、本考案が採用する別の技術手段では、スライダー組立構造体，は、スライダー組立体及び引手を含む。前記スライダー組立体は、スライダー本体と、前記スライダー本体に配置されるキャップと、前記キャップ内に配置される引手保持部とを含む。前記キャップは、その両側に２つの湾曲面を含む。前記引手保持部は、保持要素、爪部、及び前記保持要素と前記爪部とを連接する連接部を含む。前記連接部は、前記保持要素に近接するように配置されるフランジストッパーを含む。前記引手は、前記引手保持部によって引っ掛けられる貫通溝を含む。前記貫通溝の幅は、前記フランジストッパーと前記湾曲面との間の距離よりも小さい。
【０００８】
上記の技術的課題解決するために、本考案が採用するさらに別の技術手段では、スライダー組立構造体を提供する。該スライダー組立構造体は、スライダー組立体及び引手を含む。前記スライダー組立体は、スライダー本体と、前記スライダー本体に配置されるキャップと、前記キャップ内に配置される引手保持部とを含む。前記キャップは、その両側に２つの湾曲面を含む。前記引手保持部は、爪口、及び前記爪口に形成されるフランジストッパーを含む。前記引手は、前記爪口に引っ掛けられる湾曲ロッドを含む。前記湾曲ロッドは、互いに離間した２つのサイドロッド部を含む。なかでも、前記引手における一方のサイドロッド部が前記引手保持部の前記フランジストッパーに当接した場合、他方のサイドロッド部は、２つの前記湾曲面の間の範囲内に制限される。
【考案の効果】
【０００９】
本考案による有益な効果の１つとしては、引手保持部に、保持要素に近接するフランジストッパーを配置することによって、引手の移動範囲を制限する。それにより、引手が保持要素に近づく移動を避けて、さらに引手がスライダー組立体につかえることを抑制することができる。
【図面の簡単な説明】
【００１０】
【図１】既存のスライダー組立構造体を示す斜視模式図である。
【図２】図１のＩＩ−ＩＩ断面を示す断面模式図である。
【図３】本考案の実施形態にかかるスライダー組立構造体を示す斜視模式図である。
【図４】本考案の実施形態にかかるスライダー組立構造体を示す斜視分解模式図である。
【図５】図３のＶ−Ｖ断面を示す断面模式図である。
【図６】本考案の実施形態にかかる引手保持部を示す側面模式図である。
【図７】本考案の実施形態にかかる引手保持部を示す下面模式図である。
【図８】実施形態にかかるキャップの頂面に位置決められる引手を示す斜視模式図である。
【図９】図８のＩＸ−ＩＸ断面を示す断面模式図である。
【図１０】図９のＸ部分を示す拡大模式図である。
【図１１】図１０の実施形態と類似する別の変化例を示す模式図である。
【考案を実施するための形態】
【００１１】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１２】
下記より、具体的な実施例で本考案が開示する「引手保持部及びスライダー組立構造体」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【００１３】
なお、本明細書において「第１」、「第２」、「第３」等の用語で各種の部品又は信号を説明する可能性があるが、これらの部品又は信号はこれらの用語によって制限されるものではない。これらの用語は、主として一つの部品と別の部品、又は一つの信号と別の信号を区分するためのものであることが理解されたい。また、本明細書に用いられる「又は」という用語は、実際の状況に応じて、関連する項目中の何れか一つ又は複数の組合せを含み得る。
【００１４】
図３ないし図５に示すように、本考案の実施形態は、スライダー組立体１及び引手２を含むスライダー組立構造体を提供する。
【００１５】
スライダー組立体１は、スライダー本体１１、キャップ１２、引手保持部１３、及び弾性片１４を含む。スライダー本体１１は、下壁１１１と、下壁１１１から離間した上壁１１２と、下壁１１１と上壁１１２とを連接する垂直壁１１３と、上壁１１２に配置される積載台１１４とを含む。下壁１１１、上壁１１２、及び垂直壁１１３は、ファスナーテープ（図示しない）を取り付けるための２つチャンネル１１５を一緒に構成する。上壁１１２は、貫通孔１１２１を含む。積載台１１４は、互いに離間した第１のステージ１１４１及び第２のステージ１１４２を含む。第１のステージ１１４１は、貫通孔１１２１の周りに配置され、第１の傾斜面１１４３を含む。第２のステージ１１４２は、案内ブロック１１４４と、案内ブロック１１４４から離間した制限面１１４５と、案内ブロック１１４４と制限面１１４５との間に位置される凹溝１１４６とを含む。案内ブロック１１４４は、第１の傾斜面１１４３と対向的に配置される第２の傾斜面１１４７を含む。
【００１６】
キャップ１２は、積載台１１４を覆うようにスライダー本体１１に配置される。キャップ１２は、縦方向Ｌ１に沿って延在して、頂壁１２１と、頂壁１２１を囲む周壁１２２と、２つの湾曲面１２３とを含む。湾曲面１２３は、頂壁１２１と周壁１２２との境界に配置されると共に、縦方向Ｌ１に従って頂壁１２１の相対する両側辺に配置される。周壁１２２は、スライダー本体１１の積載台１１４の周りに配置されると共に、横方向Ｌ２に従って貫通する横穴１２２１を含む。横方向Ｌ２と縦方向Ｌ１とは実質的に垂直である。横穴１２２１の位置は、第１の傾斜面１１４３と第２の傾斜面１１４７との間にある空間と対応するように配置される。
【００１７】
図４ないし図６、及び図７を参照する。引手保持部１３は、動作可能にスライダー本体１１に配置される。引手保持部１３は、シート状に形成され、保持要素１３１、爪部１３２、及び保持要素１３１と爪部１３２とを連接する連接部１３３を含む。保持要素１３１は、長尺状に形成され、揺動自由に第２のステージ１１４２の凹溝１１４６内に配置される。爪部１３２は、第１のステージ１１４１内に配置され、湾曲部分１３２１及び位置決め端部１３２２を有する。湾曲部分１３２１は、スライダー本体１１の上壁１１２に当接する当接面１３２３を含む。位置決め端部１３２２は、湾曲部分１３２１から外向きに徐々に収束する。それは、ファスナーテープと接触するために貫通孔１１２１からチャンネル１１５内まで伸びている。連接部１３３は、略弧状に形成され、爪部１３２と共に爪口１３４を画定する。連接部１３３は、爪口１３４に形成されると共に保持要素１３１に近接するように配置されるフランジストッパー１３３１を含む。フランジストッパー１３３１と湾曲部分１３２１との間の最短な距離は、フランジストッパー１３３１と保持要素１３１との間の最短な距離よりも大きいとなることが好ましい。フランジストッパー１３３１は、第２のステージ１１４２の案内ブロック１１４４に近接するように配置されると共に、案内ブロック１１４４がフランジストッパー１３３１と保持要素１３１との間に位置するように構成される。フランジストッパー１３３１の形状としては、三角形、長方形、半円形、楕円形などが挙げられるが、これらに限定されず、本実施形態では三角形を例に挙げて説明する。
【００１８】
弾性片１４は、キャップ１２と引手保持部１３との間に配置されると共に、引手保持部１３の連接部１３３に当接する。弾性片１４は、引手保持部１３の位置決め端部１３２２をチャンネル１１５に深く伸びるように弾性付勢力を常に付与している。弾性片１４の形状および材料は限定されず、当業者に知られているので、本明細書では説明しない。引手２は、タブ部２１及び湾曲ロッド２２を含む。タブ部２１は、ユーザーが指で引っ張って操作するのに適するのである。湾曲ロッド２２は、実質的にＵ形状に形成され、かつ、両端部がタブ部２１に連接され、引手保持部１３の爪口１３４に引っ掛けられる。湾曲ロッド２２は、引手保持部１３に引っ掛けられるための貫通溝２３を画定する。湾曲ロッド２２は、それぞれの間に間隔が置かれて配置される２つのサイドロッド部２２１と、サイドロッド部２２１に連接するロッド力作用部２２２を有する。２つのサイドロッド部２２１の間の距離は、貫通溝２３の幅である。ロッド力作用部２２２とタブ部２１との間の距離は、貫通溝２３の長さである。
【００１９】
本実施形態において、湾曲ロッド２２の湾曲形状は実質的にＵに形成される。湾曲ロッド２２は、タブ部２１と共に実質的に長方形の貫通溝２３を構成する。なお、湾曲ロッド２２の形状はＵ形に制限されず、例えば、長方形、楕円形、円形などであってもよい。同様に、湾曲ロッド２２は、貫通溝２３に形状を決定するため、貫通溝２３の形状も長方形、楕円形、円形などに形成されてもよい。
【００２０】
ユーザーは、引手２を操作することにより、湾曲ロッド２２のロッド力作用部２２２でスライダー組立構造体を連動させ、それにより、ファスナーテープが緩むか又は互いに噛み合うかどうかを決める。第１のステージ１１４１の方向へ引手２を引っ張ると、湾曲ロッド２２のロッド力作用部２２２は、第１の傾斜面１１４３に当接してスライダー組立体１を連れて移動させる。同様に、第２のステージ１１４２の方向へ引手２を引っ張ると、ロッド力作用部２２２は、第２の傾斜面１１４７に当接してスライダー組立体１を連れて移動し、それにより、ファスナーテープの務歯を互いに互いに噛み合うように連動させることができる。即ち、一般的な使用状態では、引手２のロッド力作用部２２２によって第１の傾斜面１１４３及び第２の傾斜面１１４７を動かすように押し込んで、スライダー組立体１の移動を制御するように構成される。また、引手２の湾曲ロッド２２は、第１の傾斜面１１４３と第２の傾斜面１１４７との間にある範囲内で揺動自由に配置される。
【００２１】
上述した操作の過程において、引手２の貫通溝２３の長さは、第２のステージ１１４２の第２の傾斜面１１４７とキャップ１２の周壁１２２との間の最小の距離よりも小さいため、引手２は、スライダー本体１１につかえない。しかし、引手２の貫通溝２３の幅は、一般的には、第２の傾斜面１１４７と周壁１２２との間の最小の距離に等しいため、引手２が横たわみした時、貫通溝２３は、第２の傾斜面１１４７及び周壁１２２につかえる恐れがある。図８及び図９を参照する。本考案は、引手保持部１３にフランジストッパー１３３１を形成することにより、引手２がスライダー組立体１につかえることを避けるように、引手２の移動範囲を制限する。詳しく言えば、引手保持部１３にフランジストッパー１３３１を形成することにより、障害物を形成する。引手２の貫通溝２３の幅Ｄ１が、フランジストッパー１３３１とフランジストッパー１３３１に近接する湾曲面１２３との間の距離Ｄ２よりも小さいとき、引手２が、第２の傾斜面１１４７及び周壁１２２につかえることはない。即ち、貫通溝２３の一方の側辺は、フランジストッパー１３３１に当接するとき、その幅がより小さく形成されているため、他方の側辺が湾曲面１２３を横切って周壁１２２に達することはできない。それにより、引手２の貫通溝２３がスライダー組立体１につかえて移動できない状況を防ぐことができる。
【００２２】
言い換えれば、引手保持部１３にフランジストッパー１３３１を配置することにより、引手２の動作範囲を制限する。引手２における一方のサイドロッド部２２１がフランジストッパー１３３１に当接した場合、他方のサイドロッド部２２１は、２つの湾曲面１２３の間の範囲内に制限され、即ち、周壁１２２までに移動せずに、頂壁１２１の上方の範囲内のみで揺動することができる。即ち、フランジストッパー１３３１を配置することにより、サイドロッド部２２１の移動を妨げることができる。そのようにして、サイドロッド部２２１の間の距離は、湾曲面１２３を横断せずに、２つの湾曲面１２３の間の範囲内でだけ移動でき、第２の傾斜面１１４７及び周壁１２２につかえにくくなる。
【００２３】
図１０を参照する。サイドロッド部２２１は、同時にフランジストッパー１３３１及び第２の傾斜面１１４７に当接するが、第２の傾斜面１１４７に当接せずにフランジストッパー１３３１により押し付けられてもよい。図１１を参照する。実施形態による別の変形例では、引手保持部１３のフランジストッパー１３３１の末端部は、連接部１３３から離れる方向へ延在する。それで、サイドロッド部２２１は、第２の傾斜面１１４７に当接されず、フランジストッパー１３３１のみに当接する。その構成でも、同じように引手２がスライダー組立体１につかえることを避けることができる。
【００２４】
また、湾曲ロッド２２は、長方形、楕円形、円形など様々な変化ができるが、その幅Ｄ１の最大値がフランジストッパー１３３１とフランジストッパー１３３１と近接する湾曲面１２３との間の距離Ｄ２よりも小さければ、同じように、湾曲ロッド２２がスライダー組立体１につかえること避ける効果が果たせる。
【００２５】
それ以外に、引手保持部１３が揺動されているとき、フランジストッパー１３３１と案内ブロック１１４４との間にギャップが形成され、湾曲ロッド２２の最小外径は前述のギャップよりも大きいため、引手２を操作する時、湾曲ロッド２２は、円滑な操作を邪魔するようにフランジストッパー１３３１と案内ブロック１１４４との間につかえることはない。
【００２６】
そのように、引手保持部１３にフランジストッパー１３３１を配置することにより、引手２の構成を変更しなくても、引手２が横にたわんだ後にスライダー組立体１につかえられる確率を抑制することができ、それにより、メッキ工程での死角を避け、スライダーの歩留まりを向上させることができる。
【００２７】
以上の説明から、本実施形態の効果は、以下のようにまとめることができる。
【００２８】
（ア）引手保持部１３に、保持要素１３１に近接するフランジストッパー１３３１を配置することにより、引手２が保持要素１３１に近づくように移動することを避けて、それにより、引手２がスライダー組立体１につかえることを防ぐように、引手２の移動範囲を制限する。
【００２９】
（イ）引手保持部１３に配置されたフランジストッパー１３３１によって、フランジストッパー１３３１とフランジストッパー１３３１に近接する湾曲面１２３との間の距離Ｄ２を引手２の貫通溝２３の幅Ｄ１よりも大きく構成して、それにより、貫通溝２３の一方側辺がフランジストッパー１３３１に当接した場合、他方側辺は、周壁１２２に至るために湾曲面１２３を横断することができず、それで、引手２がスライダー組立体１につかえることを避けることができる。
【００３０】
（ウ）フランジストッパー１３３１を配置することにより、サイドロッド部２２１の移動を邪魔することができる。引手２における一方のサイドロッド部２２１がフランジストッパー１３３１に当接した時、他方のサイドロッド部２２１は２つの湾曲面１２３の間の範囲内に制限され、それにより、引手２がスライダー組立体１につかえることを防ぐことができる。
【００３１】
（エ）フランジストッパー１３３１と案内ブロック１１４４との間にあるギャップは、湾曲ロッド２２の外径よりの小さい。それで、湾曲ロッド２２がフランジストッパー１３３１と案内ブロック１１４４との間に嵌合し、スライダー組立体１につかえて、操作の円滑に影響を及ぼすことを防ぐことができる。
【００３２】
上記を纏めると、引手保持部１３に形成されるフランジストッパー１３３１によって、引手２がスライダー組立体１につかえることを避けることができる。
【００３３】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００３４】
１        スライダー組立体
１１      スライダー本体
１１１    下壁
１１２    上壁
１１２１  貫通孔
１１３    垂直壁
１１４    積載台
１１４１  第１のステージ
１１４２  第２のステージ
１１４３  第１の傾斜面
１１４４  案内ブロック
１１４５  制限面
１１４６  凹溝
１１４７  第２の傾斜面
１１５    チャンネル
１２      キャップ
１２１    頂壁
１２２    周壁
１２２１  横穴
１２３    湾曲面
１３      引手保持部
１３１    保持要素
１３２    爪部
１３２１  湾曲部分
１３２２  位置決め端部
１３２３  当接面
１３３    連接部
１３３１  フランジストッパー
１３４    爪口
１４      弾性片
２        引手
２１      タブ部
２２      湾曲ロッド
２２１    サイドロッド部
２２２    ロッド力作用部
２３      貫通溝
９        スライダー
９１      引手取付部
９２      引手
９２１    貫通溝
９３      引手保持部
９３１    爪口
９４      キャップ
９５      弾性片
９６      空間
Ｌ１      縦方向
Ｌ２      横方向
Ｄ１      幅
Ｄ２      距離
【図１】
0003222837.tif 000003
【図２】
0003222837.tif 000004
【図３】
0003222837.tif 000005
【図４】
0003222837.tif 000006
【図５】
0003222837.tif 000007
【図６】
0003222837.tif 000008
【図７】
0003222837.tif 000009
【図８】
0003222837.tif 000010
【図９】
0003222837.tif 000011
【図１０】
0003222837.tif 000012
【図１１】
0003222837.tif 000013